(57)【要約】【課題】複数の記録メディアに振り分けて記録した画像情報が分散しないように記録メディアを管理することができるデータ記録装置を提供することである。【解決手段】外部装置２０は、無線送信機能を有するカメラから送信された複数の画像を、アンテナ２２及び通信部４６を介して受信する。この外部装置２０に、複数のメモリカード（１）３２ａ及び（２）３２ｂが装着部５５に装着された状態で、メモリカード（１）３２ａ、（２）３２ｂの組合わせが判定部４８で判定される。該組合わせが適正と判定されると、上記受信した画像データは、記憶部４７を経てメモリカード（１）３２ａとメモリカード（２）３２ｂに振り分けて記録される。【選択図】      図３
2006140612.tif 000002
【特許請求の範囲】
【請求項１】
画像データを複数の記録メディアに記録可能なデータ記録装置に於いて、
無線送信機能を有するカメラから送信された画像データを受信する受信手段と、
複数の記録メディアを装着可能な装着手段と、
上記装着手段に装着された上記複数の記録メディアの組合わせが適正であるか否かを判定する判定手段と、
上記判定手段によって適正であると判定された場合に、上記受信手段で受信した画像データを上記複数の記録メディアに所定の順序で振り分けて記録する記録手段と、
を具備することを特徴とするデータ記録装置。
【請求項２】
上記判定手段は、上記複数の記録メディアの組合わせを表す組合わせ識別情報に基づいて、組合わせが適正であるか否かを検出することを特徴とする請求項１に記載のデータ記録装置。
【請求項３】
上記判定手段によって上記複数の記録メディアの組合わせが適正でないと判定された場合に、警告表示を行う警告手段を更に具備することを特徴とする請求項１に記載のデータ記録装置。
【請求項４】
上記記録手段は、上記判定手段によって上記複数の記録メディアの組合わせが適正でないと判定された場合には、一方の記録メディアに優先して上記受信手段で受信した画像データを記録し、この記録メディアに空き容量がなくなったときには他の記録メディアに記録することを特徴とする請求項１に記載のデータ記録装置。
【請求項５】
上記組合わせ識別情報は、上記記録メディアのそれぞれに格納されたファィルのファイル名であることを特徴とする請求項１に記載のデータ記録装置。
【請求項６】
上記組合わせ識別情報は、上記記録メディアのそれぞれに格納された特定のファィル内のデータであることを特徴とする請求項１に記載のデータ記録装置。
【請求項７】
上記組合わせ識別情報は、上記記録メディアのボリュームラベル情報であることを特徴とする請求項１に記載のデータ記録装置。
【請求項８】
上記組合わせ識別情報は、ディレクトリ名若しくはフォルダ名であることを特徴とする請求項１に記載のデータ記録装置。
【請求項９】
上記装着手段に装着された複数の記録メディアの組合わせが正しいか否かを識別する識別手段を更に具備することを特徴とする請求項１に記載のデータ記録装置。
【請求項１０】
上記警告手段は、上記画像データが上記複数の記録メディアのうち少なくとも１つの記録メディアに集約されている場合には、警告を出力しないことを特徴とする請求項３に記載のデータ記録装置。
【請求項１１】
無線送信機能を有する機器から送信された画像データを受信する受信手段と、
複数の記録メディアを装着可能な装着手段と、
上記装着手段に装着された上記複数の記録メディアの組合わせが適正であるか否かを判定する判定手段と、
上記判定手段によって適正であると判定された場合に、上記受信手段で受信した画像データを上記複数の記録メディアに所定の順序で振り分けて記録する記録手段と、
を具備することを特徴とするデータ記録装置。
【請求項１２】
上記判定手段は、上記複数の記録メディアの組合わせを表す組合わせ識別情報に基づいて、組合わせが適正であるか否かを検出することを特徴とする請求項１１に記載のデータ記録装置。
【請求項１３】
上記判定手段によって上記複数の記録メディアの組合わせが適正でないと判定された場合に、警告表示を行う警告手段を更に具備することを特徴とする請求項１１に記載のデータ記録装置。
【請求項１４】
上記記録手段は、上記判定手段によって上記複数の記録メディアの組合わせが適正でないと判定された場合には、一方の記録メディアに優先して上記受信手段で受信した画像データを記録し、この記録メディアに空き容量がなくなったときには他の記録メディアに記録することを特徴とする請求項１１に記載のデータ記録装置。
【請求項１５】
上記組合わせ識別情報は、上記記録メディアのそれぞれに格納されたファィルのファイル名であることを特徴とする請求項１１に記載のデータ記録装置。
【請求項１６】
上記組合わせ識別情報は、上記記録メディアのそれぞれに格納された特定のファィル内のデータであることを特徴とする請求項１１に記載のデータ記録装置。
【請求項１７】
上記組合わせ識別情報は、上記記録メディアのボリュームラベル情報であることを特徴とする請求項１１に記載のデータ記録装置。
【請求項１８】
上記組合わせ識別情報は、ディレクトリ名若しくはフォルダ名であることを特徴とする請求項１１に記載のデータ記録装置。
【請求項１９】
上記装着手段に装着された複数の記録メディアの組合わせが正しいか否かを識別する識別手段を更に具備することを特徴とする請求項１１に記載のデータ記録装置。
【請求項２０】
上記警告手段は、上記画像データが上記複数の記録メディアのうち少なくとも１つの記録メディアに集約されている場合には、警告を出力しないことを特徴とする請求項１３に記載のデータ記録装置。
【請求項２１】
無線送信機能を有する機器から送信された画像データを受信する受信手段と、
上記受信手段で受信された画像データを一時的に記憶する記憶手段と、
複数の記録メディアを装着可能な装着手段と、
上記装着手段に上記複数の記録メディアが装着されている状態に於いて、上記記憶手段に一時的に記憶された画像データを上記複数の記録メディアに対して振り分けて記録させる制御手段と、
上記装着手段に装着された上記複数の記録メディアの組合わせが適正であるか否かを判定する判定手段と、
を具備することを特徴とするデータ記録装置。
【請求項２２】
上記装着手段に複数の記録メディアが装填されているか否かを検知する検知手段を更に具備することを特徴とする請求項２１に記載のデータ記録装置。
【請求項２３】
上記検知手段は、上記データ記録装置の電源投入時に検知動作を実行することを特徴とする請求項２１に記載のデータ記録装置。
【請求項２４】
上記判定手段は、上記複数の記録メディアの組合わせを表す組合わせ識別情報に基づいて、組合わせが適正であるか否かを検出することを特徴とする請求項２１に記載のデータ記録装置。
【請求項２５】
上記判定手段によって上記複数の記録メディアの組合わせが適正でないと判定された場合に、警告を行う警告手段を更に具備することを特徴とする請求項２１に記載のデータ記録装置。
【請求項２６】
上記記録手段は、上記判定手段によって上記複数の記録メディアの組合わせが適正でないと判定された場合には、一方の記録メディアに優先して上記受信手段で受信した画像データを記録し、この記録メディアに空き容量がなくなったときには他の記録メディアに記録することを特徴とする請求項２１に記載のデータ記録装置。
【請求項２７】
上記組合わせ識別情報は、上記記録メディアのそれぞれに格納されたファィルのファイル名であることを特徴とする請求項２１に記載のデータ記録装置。
【請求項２８】
上記組合わせ識別情報は、上記記録メディアのそれぞれに格納された特定のファィル内のデータであることを特徴とする請求項２１に記載のデータ記録装置。
【請求項２９】
上記組合わせ識別情報は、上記記録メディアのボリュームラベル情報であることを特徴とする請求項２１に記載のデータ記録装置。
【請求項３０】
上記組合わせ識別情報は、ディレクトリ名若しくはフォルダ名であることを特徴とする請求項２１に記載のデータ記録装置。
【請求項３１】
上記装着手段に装着された複数の記録メディアの組合わせが正しいか否かを識別する識別手段を更に具備することを特徴とする請求項２１に記載のデータ記録装置。
【請求項３２】
上記警告手段は、上記画像データが上記複数の記録メディアのうち少なくとも１つの記録メディアに集約されている場合には、警告を出力しないことを特徴とする請求項２５に記載のデータ記録装置。
【発明の詳細な説明】
【技術分野】
【０００１】
本発明は、無線送信機能を有するカメラから撮影データを受信し、該受信データを記録メディアに対して効率的に記録可能なデータ記録装置に関するものである。
【背景技術】
【０００２】
撮影画像データを外部機器に対して無線送信する技術に関しては、これまでも数多く提案されている。例えば、撮影画像データを外部のデータ記録装置に対して無線送信し、データ記録装置側では受信した画像データを着脱自在の記録メディア（メモリカード）に保存する技術が開示されている（例えば、特許文献１参照）。
【０００３】
このようなシステムに於いては、カメラに内蔵、若しくは装填する画像記憶メモリの量を少なくすることができるので、カメラが小型、且つ簡単になるという利点がある。
【０００４】
一方、パーソナルコンピュータ等でデータを保存する際に、そのデータを複数のハードディスクドライブ装置（ＨＤＤ）に分割して保存することにより、データの書込み時間を短縮して、システムのパフォーマンスを高める技術が採用されている。
【０００５】
このデータ転送時間の効率化技術を利用して、上述したデータ記録装置に複数のメモリカードを装填可能とし、カメラから受信した画像データを振り分けて記録すれば、同様にデータ記録速度の向上を期待することができる。
【特許文献１】特開２００３−１０１８３８号公報
【発明の開示】
【発明が解決しようとする課題】
【０００６】
しかしながら、カメラで撮影した画像を複数のメモリカードに振り分けて記録させた場合、データ記録装置からそのメモリカードを取り外すと、そのメモリカード同士は何らの関連性ももたずにばらばらになってしまい、以後、画像の管理が困難になる。
【０００７】
したがって本発明は、上記実情に鑑みてなされたものであって、複数の記録メディアに振り分けて記録した画像情報がばらばらにならないように記録メディアを管理することができるデータ記録装置を提供することを目的とする。
【課題を解決するための手段】
【０００８】
すなわち、請求項１に記載の発明は、画像データを複数の記録メディアに記録可能なデータ記録装置に於いて、無線送信機能を有するカメラから送信された画像データを受信する受信手段と、複数の記録メディアを装着可能な装着手段と、上記装着手段に装着された上記複数の記録メディアの組合わせが適正であるか否かを判定する判定手段と、上記判定手段によって適正であると判定された場合に、上記受信手段で受信した画像データを上記複数の記録メディアに所定の順序で振り分けて記録する記録手段と、を具備することを特徴とする。
【０００９】
請求項２に記載の発明は、請求項１に記載の発明に於いて、上記判定手段は、上記複数の記録メディアの組合わせを表す組合わせ識別情報に基づいて、組合わせが適正であるか否かを検出することを特徴とする。
【００１０】
請求項３に記載の発明は、請求項１に記載の発明に於いて、上記判定手段によって上記複数の記録メディアの組合わせが適正でないと判定された場合に、警告表示を行う警告手段を更に具備することを特徴とする。
【００１１】
請求項４に記載の発明は、請求項１に記載の発明に於いて、上記記録手段は、上記判定手段によって上記複数の記録メディアの組合わせが適正でないと判定された場合には、一方の記録メディアに優先して上記受信手段で受信した画像データを記録し、この記録メディアに空き容量がなくなったときには他の記録メディアに記録することを特徴とする。
【００１２】
請求項５に記載の発明は、請求項１に記載の発明に於いて、上記組合わせ識別情報は、上記記録メディアのそれぞれに格納されたファィルのファイル名であることを特徴とする。
【００１３】
請求項６に記載の発明は、請求項１に記載の発明に於いて、上記組合わせ識別情報は、上記記録メディアのそれぞれに格納された特定のファィル内のデータであることを特徴とする。
【００１４】
請求項７に記載の発明は、請求項１に記載の発明に於いて、上記組合わせ識別情報は、上記記録メディアのボリュームラベル情報であることを特徴とする。
【００１５】
請求項８に記載の発明は、請求項１に記載の発明に於いて、上記組合わせ識別情報は、ディレクトリ名若しくはフォルダ名であることを特徴とする。
【００１６】
請求項９に記載の発明は、請求項１に記載の発明に於いて、上記装着手段に装着された複数の記録メディアの組合わせが正しいか否かを識別する識別手段を更に具備することを特徴とする。
【００１７】
請求項１０に記載の発明は、請求項３に記載の発明に於いて、上記警告手段は、上記画像データが上記複数の記録メディアのうち少なくとも１つの記録メディアに集約されている場合には、警告を出力しないことを特徴とする。
【００１８】
請求項１１に記載の発明は、無線送信機能を有する機器から送信された画像データを受信する受信手段と、複数の記録メディアを装着可能な装着手段と、上記装着手段に装着された上記複数の記録メディアの組合わせが適正であるか否かを判定する判定手段と、上記判定手段によって適正であると判定された場合に、上記受信手段で受信した画像データを上記複数の記録メディアに所定の順序で振り分けて記録する記録手段と、を具備することを特徴とする。
【００１９】
請求項１２に記載の発明は、請求項１１に記載の発明に於いて、上記判定手段は、上記複数の記録メディアの組合わせを表す組合わせ識別情報に基づいて、組合わせが適正であるか否かを検出することを特徴とする。
【００２０】
求項１３に記載の発明は、請求項１１に記載の発明に於いて、上記判定手段によって上記複数の記録メディアの組合わせが適正でないと判定された場合に、警告表示を行う警告手段を更に具備することを特徴とする。
【００２１】
請求項１４に記載の発明は、請求項１１に記載の発明に於いて、上記記録手段は、上記判定手段によって上記複数の記録メディアの組合わせが適正でないと判定された場合には、一方の記録メディアに優先して上記受信手段で受信した画像データを記録し、この記録メディアに空き容量がなくなったときには他の記録メディアに記録することを特徴とする。
【００２２】
請求項１５に記載の発明は、請求項１１に記載の発明に於いて、上記組合わせ識別情報は、上記記録メディアのそれぞれに格納されたファィルのファイル名であることを特徴とする。
【００２３】
請求項１６に記載の発明は、請求項１１に記載の発明に於いて、上記組合わせ識別情報は、上記記録メディアのそれぞれに格納された特定のファィル内のデータであることを特徴とする。
【００２４】
請求項１７に記載の発明は、請求項１１に記載の発明に於いて、上記組合わせ識別情報は、上記記録メディアのボリュームラベル情報であることを特徴とする。
【００２５】
請求項１８に記載の発明は、請求項１１に記載の発明に於いて、上記組合わせ識別情報は、ディレクトリ名若しくはフォルダ名であることを特徴とする。
【００２６】
請求項１９に記載の発明は、請求項１１に記載の発明に於いて、上記装着手段に装着された複数の記録メディアの組合わせが正しいか否かを識別する識別手段を更に具備することを特徴とする。
【００２７】
請求項２０に記載の発明は、請求項１３に記載の発明に於いて、上記警告手段は、上記画像データが上記複数の記録メディアのうち少なくとも１つの記録メディアに集約されている場合には、警告を出力しないことを特徴とする。
【００２８】
請求項２１に記載の発明は、無線送信機能を有する機器から送信された画像データを受信する受信手段と、上記受信手段で受信された画像データを一時的に記憶する記憶手段と、複数の記録メディアを装着可能な装着手段と、上記装着手段に上記複数の記録メディアが装着されている状態に於いて、上記記憶手段に一時的に記憶された画像データを上記複数の記録メディアに対して振り分けて記録させる制御手段と、上記装着手段に装着された上記複数の記録メディアの組合わせが適正であるか否かを判定する判定手段と、を具備することを特徴とする。
【００２９】
請求項２２に記載の発明は、請求項２１に記載の発明に於いて、上記装着手段に複数の記録メディアが装填されているか否かを検知する検知手段を更に具備することを特徴とする。
【００３０】
請求項２３に記載の発明は、請求項２１に記載の発明に於いて、上記検知手段は、上記データ記録装置の電源投入時に検知動作を実行することを特徴とする。
【００３１】
請求項２４に記載の発明は、請求項２１に記載の発明に於いて、上記判定手段は、上記複数の記録メディアの組合わせを表す組合わせ識別情報に基づいて、組合わせが適正であるか否かを検出することを特徴とする。
【００３２】
請求項２５に記載の発明は、請求項２１に記載の発明に於いて、上記判定手段によって上記複数の記録メディアの組合わせが適正でないと判定された場合に、警告を行う警告手段を更に具備することを特徴とする。
【００３３】
請求項２６に記載の発明は、請求項２１に記載の発明に於いて、上記記録手段は、上記判定手段によって上記複数の記録メディアの組合わせが適正でないと判定された場合には、一方の記録メディアに優先して上記受信手段で受信した画像データを記録し、この記録メディアに空き容量がなくなったときには他の記録メディアに記録することを特徴とする。
【００３４】
請求項２７に記載の発明は、請求項２１に記載の発明に於いて、上記組合わせ識別情報は、上記記録メディアのそれぞれに格納されたファィルのファイル名であることを特徴とする。
【００３５】
請求項２８に記載の発明は、請求項２１に記載の発明に於いて、上記組合わせ識別情報は、上記記録メディアのそれぞれに格納された特定のファィル内のデータであることを特徴とする。
【００３６】
請求項２９に記載の発明は、請求項２１に記載の発明に於いて、上記組合わせ識別情報は、上記記録メディアのボリュームラベル情報であることを特徴とする。
【００３７】
請求項３０に記載の発明は、請求項２１に記載の発明に於いて、上記組合わせ識別情報は、ディレクトリ名若しくはフォルダ名であることを特徴とする。
【００３８】
請求項３１に記載の発明は、請求項２１に記載の発明に於いて、上記装着手段に装着された複数の記録メディアの組合わせが正しいか否かを識別する識別手段を更に具備することを特徴とする。
【００３９】
請求項３２に記載の発明は、請求項２５に記載の発明に於いて、上記警告手段は、上記画像データが上記複数の記録メディアのうち少なくとも１つの記録メディアに集約されている場合には、警告を出力しないことを特徴とする。
【発明の効果】
【００４０】
本発明によれば、複数の記録メディアに振り分けて記録した画像情報がばらばらにならないように記録メディアを管理することができるデータ記録装置を提供することができる。
【発明を実施するための最良の形態】
【００４１】
以下、図面を参照して、本発明の実施形態を説明する。
【００４２】
図１は、本発明に係る電子撮像カメラシステムの一実施形態を示すもので、（ａ）は該電子撮像カメラシステムを構成するカメラ本体を示す外観斜視図、（ｂ）は（ａ）のカメラ本体とでシステムを構成する外部装置の外観斜視図である。
【００４３】
本実施の形態の電子撮像カメラシステムは、デジタルカメラ（以下、単にカメラと略記する）１０と、該カメラ１０で撮像された電子画像を表示する液晶モニタ等の表示部２３を有する外部装置２０とにより構成される。
【００４４】
図１（ａ）に於いて、カメラ１０は、被写体像をＣＣＤ等の撮像素子（不図示）で撮像するデジタルカメラで構成される。このカメラ１０の本体部１１の前面には撮影レンズ１２が取り付けられている。本体部１１の一方の側面部には、軸１３ａを中心にして回動可能なアンテナ１３が、回動可能に装着されている。更に、本体部１１の背面部には、ユーザが図示されない被写体を観察するためのファインダ１４が設けられている。
【００４５】
本体部１１の上面部には、電源操作部材１６が設けられている。この電源操作部材１６をオフ（ＯＦＦ）位置からオン（ＯＮ）位置にスライド操作することによって、カメラ本体部１１内の図示されない電気回路に電源が供給されて動作状態となる。
【００４６】
また、本体部１１の上面部には、レリーズ釦１７が設けられており、ユーザがファインダ１４を覗きながらレリーズ釦１７を操作すると、撮影レンズ１２を介して被写体像が撮像素子（不図示）で撮像され、デジタル画像データとして内蔵のメモリ（不図示）に一時的に記憶される。その後、この内蔵メモリに記憶されたデジタル画像データは、本体部１１に装着されたアンテナ１３を介して、無線通信にて、図１（ｂ）に示される外部装置２０に転送される。
【００４７】
また、本体部１１の上面部には、発光ダイオード（ＬＥＤ）１８が設けられている。このＬＥＤ１８は、上記アンテナ１３を介して行われる無線通信の際に、外部装置２０の電源がオフになっていたり、無線通信可能な範囲内に外部装置２０が無い、等の理由で無線通信ができない場合等に警告表示を行うものである。
【００４８】
図１（ｂ）に於いて、外部装置２０は、主に上記カメラ１０との間で無線通信を行う通信手段や制御手段及び表示手段等を含んで構成されたカメラ１０の補助動作を行うためのデータ記録装置である。
【００４９】
外部装置２０の本体２１の上面部には、液晶モニタ（ＬＣＤ）等の表示部２３及び２８が設けられると共に、電源操作部材２４、表示釦２５、前コマ表示用の画像選択釦２６及び後コマ表示用の画像選択釦２７が設けられている。上記電源操作部材２４は、オフ位置からオン位置にスライド操作することによって、外部装置２０内の図示されない電気回路に電源が供給されて動作状態となる。表示部２８は、該装置の警告手段としての表示部である。
【００５０】
また、外部装置２０の側面の端部には、軸２２ａを中心として回動可能なアンテナ２２が装着されている。更に、この側面部分には、記録メディアとしてのメモリカード３２ａ及び３２ｂを着脱可能に装着するスロット（１）３０ａ及びスロット（２）３０ｂが設けられている。
【００５１】
このような構成の外部装置２０に於いては、アンテナ２２を介してカメラ１０から送信されたデジタル画像データを受信する。このとき、スロット（１）３０ａ、スロット（２）３０ｂにメモリカード（１）３２ａ、メモリカード（２）３２ｂが装着されている場合には、受信した画像データはメモリカード（１）３２ａ、メモリカード（２）３２ｂに順次記憶される。
【００５２】
尚、外部装置２０内に他の記録メディアを設けて構成し、受信したデジタル画像データを記憶するように構成しても良い。
【００５３】
メモリカード（１）３２ａ、メモリカード（２）３２ｂに記録された画像データは、後述する読み出し部５０の読出し制御により任意のタイミングにて読み出されることにより、表示部２３に表示可能である。この場合、その操作は、上記表示釦２５及び画像選択釦２６、２７が操作されることにより、該外部装置２０内の読み出し部５０等へ操作指示がなされることになる。また、表示部２８には、詳細を後述するように、メモリカード（１）３２ａ、メモリカード（２）３２ｂの組合わせや空き容量等に対する警告の表示がなされる。
【００５４】
図２は、図１（ａ）に示されるカメラ１０の電気的回路の概略構成を示すブロック図である。
【００５５】
図２に於いて、本実施の形態のカメラの本体部１１には、図２に示すように、カメラ全体のシーケンスを制御する制御手段としての制御部３５が設けられている。この制御部３５は、例えばＣＰＵで構成されたもので、図示されるように、撮像部３７、信号処理部３８、記憶部３９、通信部４０、電源供給部４１及びレリーズスイッチ４２等が、主に電気的に接続されている。
【００５６】
上記レリーズスイッチ４２は、図１（ａ）に示されるカメラ１０のレリーズ釦１７に連動してオンするスイッチであり、ユーザが手動操作に応じてレリーズ信号を制御部３５に対して出力するものである。
【００５７】
撮像部３７は、この撮像部３７の前面に配置された撮像レンズ３６を介して入射される被写体像をＣＣＤ等の撮像素子で撮像する手段である。この撮像部３７では、制御部３５からのレリーズ指示信号を受けて被写体像が撮像され、アナログ画像信号として信号処理部３８に出力される。
【００５８】
この信号処理部３８は、図示されないがＡ／Ｄ変換回路、デジタル信号処理回路及び圧縮回路等で構成され、供給されたアナログ録画像信号をＡ／Ｄ変換回路（図示せず）にてデジタルデータに変換し、その後、デジタル信号処理回路（図示せず）にて所定の画像処理を施し、更に圧縮回路（図示せず）にて圧縮処理を施すようになっている。
【００５９】
尚、この信号処理部３８内の圧縮回路による圧縮処理は、公知のＪＰＥＧ圧縮であり、例えば撮像素子の画素数が３５万画素の場合、圧縮前には１メガバイトのデータ量であってもこの処理によって画像品質を落とすことなく１００キロバイト程度まで圧縮可能である。
【００６０】
信号処理部３８で生成されたデジタル画像データは、制御部３５による書き込み制御により、記憶部３９に一時的に記憶される。尚、この記憶部３９は、例えばＥＥＰＲＯＭ等の不揮発性記憶素子で構成されるものである。
【００６１】
画像データが記憶部３９に記憶されると、その画像データは、制御部３５の読出し制御により通信部４０に供給される。この通信部４０では、この供給された画像データが無線通信するのに必要な信号に変換されて外部装置２０に向けて無線送信される。
【００６２】
尚、各主要ブロック群には制御部３５によって制御される電源供給部４１より電源が供給されるようになっている。図２に於いては、その説明の簡単化のためにそのラインを省略している。
【００６３】
そして、このカメラ１０に於いて、通信部４０により外部装置２０からの省エネルギー要求信号が受信された場合には、制御部３５では、この省エネルギー要求信号に基づいて電源供給部４１の駆動制御がなされる。
【００６４】
図３は、図１（ｂ）に示される外部装置２０の電気的回路の概略構成を示すブロック図である。
【００６５】
外部装置２０は、画像記憶機能と画像表示機能を有して構成されたもので、アンテナ２２と、制御部４５と、通信部４６と、記憶部４７と、判定部４８と、検知部４９と、読み出し部５０と、警告部５１と、表示指示部５２と、表示部５３と、装着部５５とを有して構成される。
【００６６】
上記通信部（受信手段）４６は、カメラ１０側から送信された画像データを、アンテナ２２を介して受信して記憶部４７に転送する。この記憶部４７への画像データの書き込みは、制御部４５によって制御される。
【００６７】
装着手段である装着部５５は、上記画像データを記憶するメモリカード（１）３２ａ及びメモリカード（２）３２ｂが装着されるもので、カメラ１０本体部１１の内蔵メモリよりも記憶容量が大容量のものである。
【００６８】
判定部４８は、上記装着部５５に装着されたメモリカード（１）３２ａとメモリカード（２）３２ｂが、所定の組合わせであるか否か判定するための判定手段である。この判定部４８での判定結果に従って、詳細を後述するように、適正でないメモリカードの組合わせの場合は警告部５１にて警告がなされるようになっている。この警告部５１は、図１（ｂ）の表示部２８に対応している。
【００６９】
また、検知部４９は、装着部５５内のスロット（１）３０ａ及びスロット（２）３０ｂにメモリカード（１）３２ａ及びメモリカード（２）３２ｂが装着されたか否かを検知するため検知手段である。
【００７０】
上記読み出し部５０は、メモリカード（１）３２ａ、メモリカード（２）３２ｂからの画像データの読出しを制御するためのものである。表示部５３は、読み出し部５０により読出された画像データに基づく画像が表示されるもので、液晶モニタ等により構成される。また、表示指示部５２は、表示部５３による画像データに基づく表示を実行するための表示指示を行うためのものである。
【００７１】
制御手段である制御部４５は、表示指示部５２の表示指示に基づき、省エネルギー要求信号を生成して通信部４６を介して送信させる等の通信部４６の駆動制御や、上記記憶部４７、判定部４８、検知部４９及び読み出し部５０に対する駆動制御や表示制御、更には警告部５１への警告表示等を行うものである。また、後述するように、複数のメモリカードの組合わせを識別する識別手段としての機能も有している。
【００７２】
例えば、ユーザによって表示指示部５２に含まれる表示釦２５が操作されて画像表示が所望された場合、制御部４５によって、読み出し部５０に対しメモリカード（１）３２ａ及びメモリカード（２）３２ｂに記憶された最新画像（一番最後に撮像した画像）が読み出されて、表示部５３にて表示されるように制御される。
【００７３】
また、その後に画像選択釦２７が操作された場合には、制御部４５によって、読み出し部５０に対し、現在表示されている画像の１つ前のコマの画像がメモリカード（１）３２ａまたはメモリカード（２）３２ｂから読み出されて、表示部５３にて表示されるように制御される。一方、画像選択釦２６が操作された場合には、制御部４５によって読み出し部５０に対し、現在表示されている画像の１つ後のコマの画像がメモリカード（１）３２ａまたはメモリカード（２）３２ｂから読み出されて、表示部５３にて表示されるように制御される。
【００７４】
ところで、外部装置２０側で上述した表示動作を行っている間、普通はカメラ１０側での撮影動作は行われないと考えて良い。したがって、本実施形態では、ユーザにより表示釦２５が操作された場合、制御部４５では表示指示部５２からの操作指示（指示信号）によってこれが認識され、通信部４６を介してカメラ１０側に低消費電力状態への移行が指示されるようになっている。すなわち、省エネルギー要求信号が生成され、該通信部４６を介してカメラ１０側へと送信されるように制御される。
【００７５】
カメラ１０側では、この省エネルギー要求信号（指示信号）が受信された場合には、制御部３５によってカメラ１０内の不要な電気回路系が非動作状態にされる。これによって、無駄な電力消費を抑えることが可能となる。
【００７６】
次に、図４乃至図７のフローチャートを参照して、本実施形態の電子撮像カメラシステムの動作について説明する。
【００７７】
先ず、図４のフローチャートを参照して、カメラ１０の動作について説明する。尚、この動作は、カメラ１０内の制御部３５によって行われる。
【００７８】
いま、ユーザによってカメラ１０の上面部に設けられた電源操作部材１６がオフ位置からオン位置にスライド操作されたとする。すると、本ルーチンが起動され、ステップＳ１にて電源がオンされる。これにより、撮像部３７、信号処理部３８、記憶部３９、通信部４０に電源が供給されることになり、カメラ１０は動作可能状態となる。
【００７９】
次いで、ステップＳ２にて、レリーズスイッチの状態が判定される。ここでは、レリーズ釦１７が操作されたか否か、すなわちレリーズスイッチ４２がオンされたか否かが判定される。ここで、オンされたと判定された場合にはステップＳ３に移行し、オンされていないと判定された場合にはステップＳ９に移行する。
【００８０】
レリーズスイッチ４２がオンされたと判定された場合は、ステップＳ３にて撮像部３７が動作されて撮像動作が実行される。次いで、ステップＳ４にて、撮像されたアナログデータの画像データが、信号処理部３８にてデジタルデータに変換されるように制御される。
【００８１】
ステップＳ５では、上記ステップＳ４にてデジタルデータに変換された画像データが、記憶部３９に一時的に記憶される。このとき、前に記憶されていた画像データは上書き消去されることになる。
【００８２】
ステップＳ６では、記憶部３９に記憶された画像データが読み出されて通信部４０へ供給される。そして、該通信部４０が用いられて外部装置２０へと転送される。この場合、制御部３５では、先ず通信部４０が制御されて「通信要求信号」が外部装置２０に送信される。次いで、外部装置２０から「受領信号」が返信されて受信確認後、上記画像データの送信動作が開始されるように制御される。
【００８３】
次に、ステップＳ７に於いて、外部装置２０との通信が正常に行われたか否かが判定される。この場合、通信の際に、外部装置２０から「受信完了信号」が返信された場合は通信が正常に行われたと判定されるが、所定時間経過してもこの「受信完了信号」が返信されない場合には、通信が異常であると判定される。したがって、通信が正常に終了すれば、上記ステップＳ２に移行して以降の撮影動作に備えて待機状態にされる。一方、上記ステップＳ７にて、通信異常であればステップＳ８に移行する。
【００８４】
ステップＳ８では、通信が異常であることがユーザに警告されるため、カメラ１０の上面部１１に設けられたＬＥＤ１８が所定時間点滅される。その後、上記ステップＳ６に移行する。
【００８５】
一方、上記ステップＳ２にてレリーズ釦１７が操作されていないと判定された場合は、ステップＳ９に移行して、外部装置２０から省エネルギー要求信号が送信されたか否かが判定される。この省エネルギー要求信号とは、外部装置２０側で画像表示動作が開始される際にカメラ１０に向けて出力される信号である。ここで、省エネルギー要求信号が受信されていない場合には上記ステップＳ２に移行し、省エネルギー要求信号が受信された場合にはステップＳ１０に移行する。
【００８６】
ステップＳ１０では、電源供給部４１にて電源がオフにされて、撮像関連部位及び通信関連部位（撮像部３７、信号処理部３８、記憶部３９及び通信部４０等）が全て停止状態にされる。
【００８７】
その後、ステップＳ１１の処理にて制御部３５自体が待機状態にされて上記ステップＳ１に移行する。この待機状態とは、レリーズ釦１７（レリーズスイッチ４２）の監視機能以外の全ての動作回路がオフにされた状態であり、制御部３５そのものも最も消費電力の少ない状態である。そして、レリーズ釦１７が操作されて、レリーズスイッチ４２がオンされた場合にのみ、この状態が解除される。待機状態から復帰したら、再びステップＳ１からの所定の処理ルーチンが実行される。
【００８８】
次に、図５のフローチャートを参照して、外部装置２０の動作について説明する。尚、この動作は、外部装置２０内の制御部４５によって行われる。
【００８９】
いま、ユーザによって外部装置２０の上面部に設けられた電源操作部材２４がオフ位置からオン位置にスライド操作されたとする。すると、内部の回路系に電源が供給されることで、制御部４５によって本ルーチンが起動される。
【００９０】
先ず、ステップＳ２１にて、サブルーチン「メディアチェック」が実行されて、メモリカードの状態がチェックされる。尚、このサブルーチン「メディアチェック」の詳細な動作については後述する。次いで、ステップＳ２２にて、集約処理、すなわちメモリカード内のデータの整理が行われる。
【００９１】
これは、メモリカード（１）３２ａ、メモリカード（２）３２ｂに記録されている画像データを、優先するメモリカードに順次転送する処理動作である。例えば、メモリカード（２）３２ｂに記録されている画像データが、メモリカード（１）３２ａに順次転送される。そして、メモリカード（１）３２ａの記憶領域に空きがなくなったならば、メモリカード（２）３２ｂの記憶領域に順次画像データが記録される。このようにして、メモリカード（１）３２ａ、メモリカード（２）３２ｂにばらばらに記録されていた画像データが、メモリカード（１）３２ａからメモリカード（２）３２ｂへと連続して記録されるようになっている。
【００９２】
ステップＳ２３に於いては、表示釦２５の操作に伴い、表示指示部５２より表示指示信号が出力されたか否かが判定される。ここで、表示指示部５２から表示指示信号が出力された、すなわち表示釦２５が操作されたと判定された場合にはステップＳ２４に移行し、出力されてない、すなわち表示釦２５が操作されていないと判定された場合にはステップＳ３４に移行する。
【００９３】
ステップＳ２４では、表示釦２５が操作されたことに応答して、省エネルギー要求信号が生成され、この生成された省エネルギー要求信号が通信部４６を介してカメラ１０に向けて送信される。この省エネルギー要求信号が受信されたカメラ１０の動作は上述した通りである。
【００９４】
その後、ステップＳ２５にて、メモリカード（１）３２ａまたはメモリカード（２）３２ｂに記憶されている複数の画像データのうち、最新のデータ（一番最後に記憶された画像データ）が、読み出し部５０によって読み出される。続いて、ステップＳ２６では、上記ステップＳ２５で読み出された画像が表示部５３に表示される。
【００９５】
そして、ステップＳ２７に於いて、前コマ表示用の画像選択釦２６が操作されているか否かが判定される。ここで、画像選択釦２６が操作されたと判定された場合はステップＳ２８に移行し、操作されてないと判定された場合にはステップＳ２９に移行する。
【００９６】
一方、上記ステップＳ２７にて、前コマ表示用の画像選択釦２６が操作されてない場合は、ステップＳ２９に於いて、後コマ表示用の画像選択釦２７が操作されているか否かが判定される。ここで、画像選択釦２７が操作されたと判定された場合にはステップＳ３０に移行し、操作されてないと判定された場合にはステップ３１に移行する。
【００９７】
ステップＳ２８では、上記ステップＳ２６で表示された画像の１コマ前の画像が、メモリカード（１）３２ａまたはメモリカード（２）３２ｂから、読み出し部５０によって読み出される。そして、この読出された１コマ前の画像が表示されるべく、上記ステップＳ２６へ移行する。同様に、ステップＳ３０では、上記ステップＳ２６で表示された画像の１コマ後の画像が、メモリカード（１）３２ａまたはメモリカード（２）３２ｂから、読み出し部５０によって読み出される。そして、この読み出された１コマ後の画像が表示されるべく、上記ステップＳ２６へ移行する。
【００９８】
上記ステップＳ３９にて後コマ表示用の画像選択釦２７が操作されてない場合は、ステップＳ３１に於いて、カメラ１０からの通信要求信号が受信されているか否かが判定される。ここで、通信要求信号が受信されたと判定された場合にはステップＳ３２に移行し、受信されてないと判定された場合には上記ステップＳ２７へ移行する。
【００９９】
上記ステップＳ３１にて、カメラ１０からの通信要求信号が受信された場合は、ステップＳ３２にて、画像が受信されたことを表す受領信号がカメラ１０に返信されるように通信部４６が制御された後、カメラ１０から送られてくる画像データが受信される。この場合、通信部４６による受信状態が制御部４５によって監視されつつ、画像データの受信が正常に完了したならば、受信完了信号が返信されるように通信部４６が制御される。
【０１００】
そして、ステップＳ３３にて、上記ステップＳ３２で受信された画像データが、記憶部４７を介してメモリカード（１）３２ａまたはメモリカード（２）３２ｂに記憶される。その後、上記ステップＳ２４へ移行する。
【０１０１】
一方、上記ステップＳ２３にて表示釦２５が操作されなかった場合は、ステップＳ３４にて、通信部４６の監視によりカメラ１０からの通信要求信号の有無が判定される。ここで、通信要求信号が無ければ上記ステップＳ２２へ移行し、該信号が有る場合にはステップＳ３５へ移行する。
【０１０２】
ステップＳ３５では、上記ステップＳ３２の処理と同様の処理（画像データ受信処理等）が行われる。そして、続くステップＳ３６の処理にて上記ステップＳ３３の処理と同様の処理（画像データ記憶処理等）が行われる。その後、上記ステップＳ２２に移行する。
【０１０３】
次に、図６のフローチャートを参照して、図５のフローチャートに於けるステップＳ２１のサブルーチン「メディアチェック」の詳細な動作について説明する。尚、この動作は、外部装置２０内の制御部４５によって行われる。
【０１０４】
本サブルーチンに入ると、先ず、ステップＳ４１に於いて、装着部５５内のスロット（１）３０ａにメモリカード（１）が装着されているか否かが判定される。ここで、メモリカード（１）３２ａがスロット（１）３０ａに装着されている場合は、ステップＳ４２へ移行して、ファイル名等の管理情報がメモリカード（１）３２ａから記憶部４７に記憶される。また、上記ステップＳ４１にてスロット（１）３０ａにメモリカード（１）３２ａが装着されていない場合は、ステップＳ４２をスキップする。
【０１０５】
次いで、ステップＳ４３に於いて、上述したステップＳ４１と同様にして、装着部５５内のスロット（２）３０ｂにメモリカード（２）が装着されているか否かが判定される。ここで、メモリカード（２）３２ｂがスロット（２）３０ｂに装着されている場合は、ステップＳ４４へ移行して、ファイル名等の管理情報がメモリカード（２）３２ｂから記憶部４７に記憶される。また、上記ステップＳ４３にてスロット（２）３０ｂにメモリカード（２）３２ｂが装着されていない場合は、ステップＳ４４をスキップする。
【０１０６】
そして、ステップＳ４５では、メモリカード（１）３２ａ及びメモリカード（２）３２ｂ内に組合わせ識別情報があるか否かが調べられる。ここで、組合わせ識別情報とは、スロット（１）３０ａ、スロット（２）３０ｂに装着されるメモリカードの組合わせ等の情報である。例えば、メモリカード（２）３２ｂに記録されているファィル名と同じファイル名のデータが他のメモリカード（例えばメモリカード（３））に存在しても、メモリカード（１）との組合わせに於いては、メモリカード（１）とメモリカード（２）、メモリカード（１）とメモリカード（３）とは別の情報であることを意味している。
【０１０７】
ステップＳ４５に於いて、メモリカード（１）３２ａ及びメモリカード（２）３２ｂ内に組合わせ識別情報がある場合はステップＳ５０へ移行し、組合わせ識別情報がない場合はステップＳ４６へ移行する。
【０１０８】
このステップＳ４６では、メモリカード（１）３２ａ、メモリカード（２）３２ｂ内に画像データが保存されているか否かが判定される。ここで、メモリカード（１）３２ａ、メモリカード（２）３２ｂ内に画像データが保存されている場合は、誤ったメモリカード（１）３２ａ、メモリカード（２）３２ｂが使用されている可能性があるので、ステップＳ４７へ移行して、表示部２８に警告表示がなされる。続いて、ステップＳ４８に於いて、このまま操作が続行されるか否かの入力を促す指示が、動作表示用のＬＣＤ（図示せず）に表示されて、待機状態に入る。
【０１０９】
ユーザにより操作が中断される場合は、電源操作部材２４がオフ位置にされて、メモリカードが入れ替えられて、再度最初から処理が開始される。一方、撮影者により操作が続行される場合、或いは上記ステップＳ４６にてメモリカード（１）３２ａ、メモリカード（２）３２ｂ内に画像データが保存されていない場合は、ステップＳ４９に移行して、新規に組合わせ識別情報が生成される。
【０１１０】
続いて、ステップＳ５０にて、メモリカード（１）３２ａとメモリカード（２）３２ｂの組合わせ識別情報が比較される。そして、ステップＳ５１に於いて、所定の組合わせ条件になっているか否かが判定される。ここで、所定の組合わせ条件内である場合は上記メモリカード（１）３２ａ、メモリカード（２）３２ｂは使用可能であるので、ステップＳ５２へ移行してペアフラグが“１”とされる。その後、本サブルーチンを抜ける。
【０１１１】
一方、上記ステップＳ５１にて、所定の組合わせ条件ではない場合は、ステップＳ５３へ移行する。このステップＳ５３では、メモリカード（１）３２ａ、メモリカード（２）３２ｂの何れか一方に画像情報が存在していないかどうかが判定される。その結果、画像情報が存在しない場合は、画像情報が存在しない方のメモリカードの識別情報が書き替えられれば、新たに組み合わされて使用されることが可能となる。したがって、上記ステップＳ４９へ移行する。
【０１１２】
これに対し、上記ステップＳ５３にて画像情報が存在する場合は、誤った組合わせのメモリカードが使用されていることになる。したがって、ステップＳ５４へ移行して、その旨の警告が表示部２８に表示される。そして、ステップＳ５５にて上記メモリカード（１）３２ａ、メモリカード（２）３２ｂは使用できないとして、ペアフラグが“０”とされた後、本サブルーチンを抜ける。
【０１１３】
図７は、上述した組合せ識別情報の第１の例を示した図である。
【０１１４】
メモリカード（１）３２ａ、メモリカード（２）３２ｂには、それぞれ制御部４５によって振り分けられた画像データ６０ａ、６０ｂと共に、識別専用ファイル６１ａ、６１ｂが格納されている。これらの識別専用ファイル６１ａ、６１ｂには、メモリカード（１）３２ａとメモリカード（２）３２ｂが所定の組合せであることを示す組合せ識別情報が記載されている。
【０１１５】
すなわち、識別専用ファイル６１ａ、６１ｂには、図８に示されるように、組合せ識別情報として「年月日＋区分コード」が記載されている。すなわち、図８（ａ）に示される識別専用ファイル６１ａには、組合せ識別情報として、ファイルが生成された年月日時分に対応する“２００３ｊａｎ２５１０３０”と、区分コードに対応する“ａ”が記載されている。一方、図８（ｂ）に示される識別専用ファイル６１ｂには、組合せ識別情報として、年月日時分に対応する“２００３ｊａｎ２５１０３０”と区分コードに対応する“ｂ”が記載されている。したがって、この例では、最後の１桁のみが異なる組合わせ識別情報が格納されたメモリカードは、所定の組合わせに係るものであることが識別できる。
【０１１６】
図９は、組合せ識別情報の第２の例を示した図である。
【０１１７】
メモリカード（１）３２ａ、メモリカード（２）３２ｂには、それぞれ制御部４５によって振り分けられた画像データ６０ａ、６０ｂと共に、識別専用ファイル６２ａ、６２ｂが格納されている。これらの識別専用ファイル６２ａ、６２ｂのファイル名には、メモリカード（１）３２ａとメモリカード（２）３２ｂが、所定の組合わせであることを示す組合せ識別情報が使用されている。
【０１１８】
図９に於いては、識別専用ファイル６０ａ、６０ｂには、組合せ識別情報として「年月日＋区分コード」がファイル名として定義されている。すなわち、識別専用ファイル６２ａのファイル名は、年月日に対応する“ＹＹＭＭＤＤ”と区分コードに対応する“ａ”が組合わされた“ＹＹＭＭＤＤａ”であり、識別専用ファイル６２ｂのファイル名は、年月日に対応する“ＹＹＭＭＤＤ”と区分コードに対応する“ｂ”が組合わされた“ＹＹＭＭＤＤｂ」である。
【０１１９】
したがって、この例では、ファイル名のうち、最後の１桁のみが異なるファイル名を有する識別専用ファイルが格納されたメモリカードは、所定の組合せに係るものであることが識別できる。
【０１２０】
図１０は、組合わせ識別情報の第３の例を示した図である。
【０１２１】
メモリカード（１）３２ａ、メモリカード（２）３２ｂには、それぞれ制御部４５によって振り分けられた画像データ６０ａ、６０ｂが格納されると共に、そのボリュームラベル６３ａ、６３ｂが格納されている。これらボリュームラベル６３ａ、６３ｂには、メモリカード（１）３２ａとメモリカード（２）３２ｂが所定の組合わせであることを示す組合わせ識別情報が記載されている。
【０１２２】
図１０に示されるボリュームラベル６３ａ、６３ｂには、組合わせ識別情報として「年月日＋区分コード」がラベル名として定義されている。すなわち、ボリュームラベル６３ａのファイル名は、図９に示される例と同様に“ＹＹＭＭＤＤａ”であり、ボリュームラベル６３ｂのファイル名は、図９に示される例と同様に“ＹＹＭＭＤＤｂ”である。したがって、この例ではボリューム名のうち、最後の１桁のみが異なるメモリカード同士は所定の組合わせに係るものであることが識別できる。
【０１２３】
尚、組合わせ識別情報は、上述した例にある年月日情報に限られず、統一した符号を用いるものであれば適用することができる。例えば、ランダムにコードを発生させ、そのコードを用いてもよい。また、他の方法により生成したコードであっても、そのコードが相互に統一が図られ、実用上ユニークなものであれば組合せ識別情報として使用することができる。
【０１２４】
また、図１１に示されるように、組合せ識別情報はファイル名でなくフォルダ６５ａ、６５ｂ内のフォルダ名６６ａ、６６ｂであってもよい。
【０１２５】
次に、図１２及び図１３を参照して、警告表示の有無について説明する。
【０１２６】
図１２に示されるメモリカード（１）３２ａには、画像データ“００１”〜“００６”までが順次記録されていると共に、識別情報６７ａが格納されている。一方、メモリカード（２）３２ｂには、画像データ“００７”、“００８”が記録されていると共に、識別情報６７ｂが格納されている。
【０１２７】
ここで、識別情報６７ａと識別情報６７ｂが比較されて（図６のフローチャートのステップＳ５０）、所定の組合わせのものでないと判定された場合（同ステップＳ５１を“ＮＯ”）は、メモリカード（２）３２ｂに記録された画像データの番号はメモリカード（１）３２ａに続く番号となっているが、メモリカード（２）３２ｂとメモリカード（１）３２ａとは全く別の組合わせで使用された画像データが記録されている（同ステップＳ５３を“ＮＯ”）。したがって、警告部５１にて警告表示がなされる（同ステップＳ５４）。
【０１２８】
一方、図１３に示される例では、メモリカード（１）３２ａに画像データ“００１”〜“００６”までが順次記録されていると共に、識別情報６７ａが格納されている。そして、メモリカード（２）３２ｂには、画像データは記録されておらず、識別情報６７ｂのみが格納されている。
【０１２９】
この場合、識別情報６７ａと識別情報６７ｂが所定の組合わせのものでないと判定され（同ステップＳ５１を“ＮＯ”）ても、メモリカード（２）３２ｂには画像データは記録されていない（同ステップＳ５３を“ＹＥＳ”）。したがって、識別情報６７ｂが書き替えられれば（同ステップＳ４９）、このメモリカード（２）３２ｂがメモリカード（１）３２ａと新たに組み合わされて使用されることが可能となる。それ故、一方のメモリカードに画像データが存在しない場合は警告部５１の警告表示はなされない。
【０１３０】
次に、図１４のフローチャートを参照して、図５のフローチャートに於けるステップＳ３３及びＳ３６のサブルーチン「画像記憶」の詳細な動作について説明する。
【０１３１】
本サブルーチンに入ると、先ずステップＳ６１に於いて、ペアフラグがあるか否かが判定される。ここで、ペアフラグが“１”の場合は、画像がメモリカード（１）３２ａ、メモリカード（２）３２ｂに交互に転送される。ここでは、例えばステップＳ６２にて、撮影された画像のコマ番号が奇数か否かで記録先のメモリカードが振り分けられる。
【０１３２】
すなわち、上記ステップＳ６２にコマ番号が奇数の場合は、ステップＳ６３に移行してメモリカード（１）３２ａに記録される。一方、上記ステップＳ６２にて、撮影された画像のコマ番号が偶数の場合は、ステップＳ６４に移行してメモリカード（２）３２ｂに記録される。上記ステップＳ６３、Ｓ６４でメモリカード（１）３２ａ、メモリカード（２）３２ｂに記録された後は、本サブルーチンを抜ける。
【０１３３】
このように交互に記録されることにより、同時のタイミングでメモリカード（１）３２ａとメモリカード（２）３２ｂに画像を記録することができる。したがって、データ転送時間を短縮することができる。
【０１３４】
また、上記ステップＳ６１にて、ペアフラグの判定の結果、ペアフラグが“０”の場合は、２つのうちの何れかのメモリカードに画像が記録される。すなわち、例えばステップＳ６５に於いて、メモリカード（１）３２ａに空き領域があるか否かが判定される。ここで、メモリカード（１）３２ａに空き領域がある場合は、ステップＳ６６に移行して、画像がメモリカード（１）３２ａに転送されて記録される。その後、本サブルーチンを抜ける。
【０１３５】
一方、上記ステップＳ６５にて、メモリカード（１）３２ａに空き領域がない場合は、ステップＳ６７へ移行して、メモリカード（２）３２ｂに空き領域があるか否かが判定される。そして、メモリカード（２）３２ｂに空き領域がある場合は、ステップＳ６８に移行して、画像がメモリカード（２）３２ｂに転送されて記録される。その後、本サブルーチンを抜ける。しかし、上記ステップＳ６７にて、メモリカード（２）３２ｂに空き領域がない場合は、ステップＳ６９に移行する。そして、このステップＳ６９にて、画像を記録することができない旨の警告が表示部２８に表示される。その後、本サブルーチンを抜ける。
【０１３６】
尚、上述したメモリカードの空き領域の有無の判定は、実際に撮影された画像のサイズに基づいて行われる。
【０１３７】
また、図１４に示されるメモリカード（１）３２ａ、メモリカード（２）３２ｂに画像を記録させる処理に於いて、ステップＳ６１〜Ｓ６４の、メモリカード（１）３２ａ、メモリカード（２）３２ｂに画像を振り分けて記録する処理は、デジタルカメラが連写モードで撮影しているときに実行するようにしても良い。連写モードに於いては、撮影画像が短時間で多く発生するため、メモリカード（１）３２ａ、メモリカード（２）３２ｂに効率的に書き込む必要があるが、連写モードでなければ撮影画像の発生間隔は長いため、メモリカードへの書き込みが問題になることが少ないからである。
【０１３８】
次に、メモリカード（１）３２ａ、メモリカード（２）３２ｂと記憶部４７との間のデータ授受手順について説明する。
【０１３９】
図１５は、メモリカード（１）３２ａ、メモリカード（２）３２ｂと記憶部４７との間の信号接続を示す図である。
【０１４０】
メモリカード（１）３２ａ、メモリカード（２）３２ｂは、装着部５５内に含まれるもので、上述したスロット（１）３０ａ及びスロット（２）３０ｂに対応する通信コネクタ５６ａ及び５６ｂに装着されることによって、記憶部４７と電気的に接続される。この記憶部４７とメモリカード（１）３２ａ側の通信コネクタ５６ａの間は、アドレス信号（Ａ０００〜Ａ００９）、データ信号（Ｄ０００〜Ｄ０１５）、Ｗｒｉｔｅ信号（ＷＲ０）、Ｗａｉｔ信号（ＷＡＩＴ０）、Ｃｈｉｐ_ｅｎａｂｌｅ信号（ＣＥ０）で接続されている。
【０１４１】
アドレス信号（Ａ０００〜Ａ００９）は、記憶部４７がメモリカード（１）３２ａに対して画像データを書き込むアドレスを指定するための信号である。データ信号（Ｄ０００〜Ｄ０１５）は、記憶部４７がメモリカード（１）３２ａに対して転送するデータを表す信号である。
【０１４２】
Ｗｒｉｔｅ信号（ＷＲ０）は、記憶部４７がメモリカード（１）３２ａに対してデータを読込むタイミングを指定する信号である。Ｗａｉｔ信号（ＷＡＩＴ０）は、メモリカード（１）３２ａが記憶部４７に対してデータの転送を一時停止するように求める信号である。更に、Ｃｈｉｐ_ｅｎａｂｌｅ信号（ＣＥ０）は、記憶部４７がメモリカード（１）３２ａに対してデータの転送先として選択されていることを表す信号である。
【０１４３】
同様に、記憶部４７とメモリカード（２）３２ｂ側の通信コネクタ５６ｂの間は、アドレス信号（Ａ１００〜Ａ１０９）、データ信号（Ｄ１００〜Ｄ１１５）、Ｗｒｉｔｅ信号（ＷＲ１）、Ｗａｉｔ信号（ＷＡＩＴ１）、Ｃｈｉｐ_ｅｎａｂｌｅ信号（ＣＥ１）で接続されている。これらの信号の内容は、上述した通信コネクタ５６ａの間の信号と同じであるため詳細な説明は省略する。
【０１４４】
尚、上述した実施形態に於いて、警告部５１は、例えばＬＣＤ等で構成される表示部２８に対応したものとして説明したが、これに限られるものではない。例えば、ＬＥＤによる表示や、スピーカ等を有した発音手段による音で警告するものであってもよい。
【０１４５】
以上、本発明の実施形態について説明したが、本発明は上述した実施形態以外にも、本発明の要旨を逸脱しない範囲で種々の変形実施が可能である。
【図面の簡単な説明】
【０１４６】
【図１】本発明に係る電子撮像カメラシステムの一実施形態を示すもので、（ａ）は該電子撮像カメラシステムを構成するカメラ本体を示す外観斜視図、（ｂ）は（ａ）のカメラ本体とでシステムを構成する外部装置の外観斜視図である。
【図２】図１（ａ）に示されるカメラ１０の電気的回路の概略構成を示すブロック図である。
【図３】図１（ｂ）に示される外部装置２０の電気的回路の概略構成を示すブロック図である。
【図４】本実施形態の電子撮像カメラシステムの動作について説明するもので、カメラ１０の動作について説明するフローチャートである。
【図５】本実施形態の電子撮像カメラシステムの動作について説明するもので、外部装置２０の動作について説明するフローチャートである。
【図６】図５のフローチャートに於けるステップＳ２１のサブルーチン「メディアチェック」の詳細な動作について説明するフローチャートである。
【図７】組合せ識別情報の第１の例を示した図である。
【図８】図７の識別専用ファイルの例を示した図である。
【図９】組合せ識別情報の第２の例を示した図である。
【図１０】組合わせ識別情報の第３の例を示した図である。
【図１１】組合せ識別情報の更に他の例を示した図である。
【図１２】組合わせ識別情報が異なって警告表示されるメモリカードの例を示した図である。
【図１３】組合わせ識別情報が異なっても警告表示されないメモリカードの例を示した図である。
【図１４】図５のフローチャートに於けるステップＳ３３及びＳ３６のサブルーチン「画像記憶」の詳細な動作について説明するフローチャートである。
【図１５】メモリカード（１）３２ａ、メモリカード（２）３２ｂと記憶部４７との間の信号接続を示す図である。
【符号の説明】
【０１４７】
１０…デジタルカメラ（カメラ）、１１…本体部、１２…撮影レンズ、１３…アンテナ、１６…電源操作部材、１７…レリーズ釦、１８…発光ダイオード（ＬＥＤ）、２０…外部装置、２１…本体、２２…アンテナ、２３、２８…表示部、２５…表示釦、２６…前コマ表示用の画像選択釦、２７…後コマ表示用の画像選択釦、３０ａ…スロット（１）、３０ｂ…スロット（２）、３２ａ…メモリカード（１）、３２ｂ…メモリカード（２）、３５…制御部、３７…撮像部、３８…信号処理部、３９…記憶部、４０…通信部、４１…電源供給部、４２…レリーズスイッチ、４５…制御部、４６…通信部、４７…記憶部、４８…判定部、４９…検知部、５０…読み出し部、５１…警告部、５２…表示指示部、５３…表示部、５５…装着部、６０ａ、６０ｂ…画像データ、６１ａ、６１ｂ…識別専用ファイル。
【図１】
2006140612.tif 000003
【図２】
2006140612.tif 000004
【図３】
2006140612.tif 000005
【図４】
2006140612.tif 000006
【図５】
2006140612.tif 000007
【図６】
2006140612.tif 000008
【図７】
2006140612.tif 000009
【図８】
2006140612.tif 000010
【図９】
2006140612.tif 000011
【図１０】
2006140612.tif 000012
【図１１】
2006140612.tif 000013
【図１２】
2006140612.tif 000014
【図１３】
2006140612.tif 000015
【図１４】
2006140612.tif 000016
【図１５】
2006140612.tif 000017